(57)【要約】【課題】確実にディスクを搬送しながら、バネ部材の部品点数の増加を抑制することが可能なディスクローディング装置を提供する。【解決手段】このディスクローディング装置は、筐体（上筐体１）と、ディスク３０を搬送するためのローラ６と、上筐体１に取り付けられる押圧部材７と、押圧部材７とディスク３０の縁部３０ａとが当接する２点の間の位置を押圧することにより、押圧部材７をディスク３０に押圧する１本のバネ線材８とを備える。バネ線材８は、凸状の押圧部８ａと、係合部８ｂとを有し、上筐体１の上面１ａと側面１ｂとが交差する角部１ｃの近傍には、バネ線材８の係合部８ｂと係合する溝状の係合部１ｄが設けられており、押圧部材７は、平面的に見て、押圧部材７とディスク３０との２つの当接点を結ぶ線分上に実質的に位置するとともに、バネ線材８の押圧部８ａがディスク搬送方向に対して移動するのを抑制する位置規制部８ｃを含む。【選択図】図５
2007265480.tif 000002
【特許請求の範囲】
【請求項１】
ディスクを駆動するディスク駆動部が収納される筐体と、前記ディスクを前記ディスク駆動部に搬送するためのローラとを備えたディスクローディング装置において、  
前記ディスクの縁部に２点で当接可能に前記筐体に取り付けられる押圧部材と、
前記筐体に取り付けられ、前記押圧部材と前記ディスクの縁部とが当接する２点の間の位置を押圧することにより、前記押圧部材を前記ディスクに押圧する１つのバネ部材とをさらに備え、
前記バネ部材は、凸状の押圧部と、前記筐体と係合する係合部とを有する１本のバネ線材を含み、
前記筐体の上面と側面とが交差する角部の近傍には、前記バネ線材の係合部と係合するバネ取付部が設けられており、
前記押圧部材は、前記バネ線材の押圧部がディスク搬送方向に対して移動するのを抑制する位置規制部を含み、
前記押圧部材の位置規制部は、平面的に見て、前記押圧部材と前記ディスクとの２つの当接点を結ぶ線分上に実質的に位置し、
前記筐体のバネ取付部は、前記筐体の上面と側面とが交差する角部の近傍に設けられた溝部を含み、
前記バネ線材の係合部は、Ｌ字状に形成された両端部を含み、
前記バネ線材のＬ字状の両端部は、前記筐体の溝部に係合する、ディスクローディング装置。
【請求項２】
ディスクを駆動するディスク駆動部が収納される筐体と、
前記ディスクを前記ディスク駆動部に搬送するためのローラと、
前記ディスクの縁部に２点で当接可能に前記筐体に取り付けられる押圧部材と、
前記筐体に取り付けられ、前記押圧部材と前記ディスクの縁部とが当接する２点の間の位置を押圧することにより、前記押圧部材を前記ディスクに押圧する１つのバネ部材とを備えた、ディスクローディング装置。
【請求項３】
前記バネ部材は、凸状の押圧部と、前記筐体と係合する係合部とを有する１本のバネ線材を含む、請求項２に記載のディスクローディング装置。
【請求項４】
前記筐体の上面と側面とが交差する角部の近傍には、前記バネ線材の係合部と係合するバネ取付部が設けられている、請求項３に記載のディスクローディング装置。
【請求項５】
前記筐体のバネ取付部は、前記筐体の上面と側面とが交差する角部の近傍に設けられた溝部を含み、
前記バネ線材の係合部は、Ｌ字状に形成された両端部を含み、
前記バネ線材のＬ字状の両端部は、前記筐体の溝部に係合する、請求項４に記載のディスクローディング装置。
【請求項６】
前記押圧部材は、前記バネ線材の押圧部がディスク搬送方向に対して移動するのを抑制するための位置規制部を含む、請求項３〜５のいずれか１項に記載のディスクローディング装置。
【請求項７】
前記押圧部材の位置規制部は、平面的に見て、前記押圧部材と前記ディスクとの２つの当接点を結ぶ線分上に実質的に位置する、請求項６に記載のディスクローディング装置。
【発明の詳細な説明】
【技術分野】
【０００１】
この発明は、ディスクローディング装置に関し、特に、ディスクをディスク駆動部に搬送するためのローラを備えたディスクローディング装置に関する。
【背景技術】
【０００２】
従来、ディスクをディスク駆動部に搬送するためのローラを備えたディスクローディング装置が知られている（たとえば、特許文献１参照）。
【０００３】
上記特許文献１に記載のディスクローディング装置は、ガイド部材と、ローラとを備えている。また、ガイド部材は、ディスクが搬送される際に、ディスクを中央へガイドする機能を有する。この特許文献２では、ローラとガイド部材との間にディスクを挿入すると、ローラが回転することによりディスクが搬送される。
【０００４】
しかしながら、上記特許文献１に記載のディスクローディング装置では、ディスクは、搬送時において、ディスクの自重のみによってローラに当接しているため、ローラの回転による摩擦力がディスクに十分に伝わらず、確実にディスクを搬送することが困難であるという不都合がある。
【０００５】
そこで、従来、上記した不都合を解消するために、ディスクとローラとを圧接させるためのバネ部材を設けることにより確実にディスクを搬送することが可能なディスクローディング装置が提案されている（たとえば、特許文献２〜４参照）。
【０００６】
上記特許文献２に記載のディスクローディング装置は、ローラと、ディスクガイド（押圧部材）と、ローラの両端を支持する回動可能なアームと、ディスクガイドにローラを付勢するためにアームの両端部に取り付けられる２つのバネ部材とを備えている。この特許文献２では、２つのバネ部材により付勢されたローラと、ディスクガイド（押圧部材）とによりディスクを挟んだ状態でローラが回転することによりディスクが搬送される。
【０００７】
上記特許文献３に記載のディスクローディング装置は、ローラと、ガイドトップ（押圧部材）と、ローラの両端を支持する回動可能なローラ支持体と、ガイドトップ（押圧部材）にローラを付勢するためにローラ支持体の両端部に取り付けられる２つのバネ部材とを備えている。この特許文献３では、２つのバネ部材により付勢されたローラと、ガイドトップ（押圧部材）とによりディスクを挟んだ状態でローラが回転することによりディスクが搬送される。
【０００８】
上記特許文献４に記載のディスクローディング装置は、ディスク搬送用ローラと、ディスクを上方から押さえるためのディスク案内部材（押圧部材）と、ディスク搬送用ローラをディスク案内部材に付勢するバネ部材とを備えている。この特許文献４では、バネ部材によって付勢されたディスク搬送用ローラと、ディスク案内部材とにより、ディスクを挟んだ状態でディスク搬送用ローラが回転することによりディスクが搬送される。
【０００９】
【特許文献１】特開２００４−５５０４０号公報
【特許文献２】特開平６−１３１７８４号公報
【特許文献３】特開平８−１３８２９８号公報
【特許文献４】特開２００２−２３０８７７号公報
【発明の開示】
【発明が解決しようとする課題】
【００１０】
しかしながら、上記特許文献２および３に記載のディスクローディング装置では、ディスクガイドまたはガイドトップ（押圧部材）にローラを安定した付勢力を付与するために、ローラの両端部に２つのバネ部材を用いているため、バネ部材の部品点数が増加するという問題点がある。
【００１１】
また、上記特許文献４に記載のディスクローディング装置では、バネ部材によってディスク搬送用ローラをディスク案内部材に付勢する部分の詳細な構造が開示されていない。この特許文献４において、上記特許文献２および３と同様、ディスク搬送用ローラの両端部を２つのバネ部材によって付勢する場合には、バネ部材の部品点数が増加するという問題点がある。
【００１２】
この発明は、上記のような課題を解決するためになされたものであり、この発明の１つの目的は、確実にディスクを搬送しながら、バネ部材の部品点数の増加を抑制することが可能なディスクローディング装置を提供することである。
【課題を解決するための手段および発明の効果】
【００１３】
この発明の第１の局面によるディスクローディング装置は、ディスクを駆動するディスク駆動部が収納される筐体と、ディスクをディスク駆動部に搬送するためのローラとを備えたディスクローディング装置において、ディスクの縁部に２点で当接可能に筐体に取り付けられる押圧部材と、筐体に取り付けられ、押圧部材とディスクの縁部とが当接する２点の間の位置を押圧することにより、押圧部材をディスクに押圧する１つのバネ部材とをさらに備え、バネ部材は、凸状の押圧部と、筐体と係合する係合部とを有する１本のバネ線材を含み、筐体の上面と側面とが交差する角部の近傍には、バネ線材の係合部と係合するバネ取付部が設けられており、押圧部材は、バネ線材の押圧部がディスク搬送方向に対して移動するのを抑制する位置規制部を含み、押圧部材の位置規制部は、平面的に見て、押圧部材とディスクとの２つの当接点を結ぶ線分上に実質的に位置し、筐体のバネ取付部は、筐体の上面と側面とが交差する角部の近傍に設けられた溝部を含み、バネ線材の係合部は、Ｌ字状に形成された両端部を含み、バネ線材のＬ字状の両端部は、筐体の溝部に係合する。
【００１４】
第１の局面によるディスクローディング装置では、上記のように、押圧部材を１つのバネ部材によりディスクに押圧することによって、バネ部材の部品点数の増加を抑制することができる。また、ディスクの縁部に２点で当接可能な押圧部材を、押圧部材とディスクの縁部とが当接する２点の間の位置を押圧することにより、押圧部材をディスクに押圧することによって、押圧部材とディスクの縁部とが当接する２点にかかる押圧力の差を少なくすることができる。これにより、１つのバネ部材を用いる場合にも、安定した搬送力を得ることができるので、確実にディスクを搬送することができる。また、バネ部材として、凸状の押圧部と、筐体と係合する係合部とを有する１本のバネ線材を使用することによって、１本のバネ線材を用いて、容易に、押圧部材を押圧することができる。また、筐体の上面と側面とが交差する角部の近傍に、バネ線材の係合部と係合するバネ取付部を設けることによって、バネ線材が押圧部材を押圧する押圧力の反力を、機械的強度の高い筐体の上面と側面とが交差する角部の近傍によって受けることができるので、バネ線材による反力により、バネ取付部が変形しにくい。そのため、バネ線材の係合部の変位を小さくすることができるので、バネ線材の押圧力を安定させることができる。また、筐体の上面と側面とが交差する角部の近傍に溝部を設けるとともに、バネ線材のＬ字状の両端部を、筐体の溝部に係合させることによって、容易に、角部に設けられた溝部によりバネ線材の反力によるバネ取付部の変形を抑制することができるとともに、バネ線材のＬ字状の両端部および溝部によりバネ線材を容易に筐体に取り付けることができる。
【００１５】
また、第１の局面によるディスクローディング装置において、上記のように、押圧部材に、バネ線材の押圧部がディスク搬送方向に対して移動するのを抑制するための位置規制部を設けることによって、バネ線材の押圧部材に対する押圧位置（付勢位置）が移動するのを抑制することができる。このため、ディスクに加わる力が変化することを抑制することができる。また、押圧部材の位置規制部を、平面的に見て、押圧部材とディスクとの２つの当接点を結ぶ線分上に実質的に配置することによって、バネ線材の付勢力が加わる位置と、押圧部材とディスクとの２つの当接点とを直線状に配置することができる。これにより、バネ線材の押圧力を効果的にディスクに加えることができる。
【００１６】
この発明の第２の局面によるディスクローディング装置は、ディスクを駆動するディスク駆動部が収納される筐体と、ディスクをディスク駆動部に搬送するためのローラと、ディスクの縁部に２点で当接可能に筐体に取り付けられる押圧部材と、筐体に取り付けられ、押圧部材とディスクの縁部とが当接する２点の間の位置を押圧することにより、押圧部材をディスクに押圧する１つのバネ部材とを備える。
【００１７】
この第２の局面によるディスクローディング装置では、上記のように、押圧部材を１つのバネ部材によりディスクに押圧することによって、バネ部材の部品点数の増加を抑制することができる。また、ディスクの縁部に２点で当接可能な押圧部材を、押圧部材とディスクの縁部とが当接する２点の間の位置を押圧することにより、押圧部材をディスクに押圧することによって、押圧部材とディスクの縁部とが当接する２点にかかる押圧力の差を少なくすることができる。これにより、１つのバネ部材を用いる場合にも、安定した搬送力を得ることができるので、確実にディスクを搬送することができる。
【００１８】
この第２の局面によるディスクローディング装置において、好ましくは、バネ部材は、凸状の押圧部と、筐体と係合する係合部とを有する１本のバネ線材を含む。このように構成すれば、１本のバネ線材を用いて、容易に、押圧部材を押圧することができる。
【００１９】
この場合、好ましくは、筐体の上面と側面とが交差する角部の近傍には、バネ線材の係合部と係合するバネ取付部が設けられている。このように構成すれば、バネ線材が押圧部材を押圧する押圧力の反力を、機械的強度の高い筐体の上面と側面とが交差する角部の近傍によって受けることができるので、バネ線材による反力により、バネ取付部が変形しにくい。そのため、バネ線材の係合部の変位を小さくすることができるので、バネ線材の押圧力を安定させることができる。
【００２０】
この場合、好ましくは、筐体のバネ取付部は、筐体の上面と側面とが交差する角部の近傍に設けられた溝部を含み、バネ線材の係合部は、Ｌ字状に形成された両端部を含み、バネ線材のＬ字状の両端部は、筐体の溝部に係合する。このように構成すれば、容易に、角部に設けられた溝部によりバネ線材の反力によるバネ取付部の変形を抑制することができるとともに、バネ線材のＬ字状の両端部および溝部によりバネ線材を容易に筐体に取り付けることができる。
【００２１】
上記したバネ部材として１本のバネ線材を用いる構成において、好ましくは、押圧部材は、バネ線材の押圧部がディスク搬送方向に対して移動するのを抑制するための位置規制部を含む。このように構成すれば、バネ線材の押圧部材に対する押圧位置（付勢位置）が移動するのを抑制することができる。このため、ディスクに加わる力が変化することを抑制することができる。
【００２２】
この場合、好ましくは、押圧部材の位置規制部は、平面的に見て、押圧部材とディスクとの２つの当接点を結ぶ線分上に実質的に位置する。このように構成すれば、バネ線材の付勢力が加わる位置と、押圧部材とディスクとの２つの当接点とを直線状に配置することができる。これにより、バネ線材の押圧力を効果的にディスクに加えることができる。
【発明を実施するための最良の形態】
【００２３】
以下、本発明を具体化した実施形態を図面に基づいて説明する。
【００２４】
図１および図２は、本発明の一実施形態によるディスクローディング装置を含むディスク装置の全体構成を示す分解斜視図である。図３〜図１０は、本発明の一実施形態によるディスクローディング装置の詳細を説明するための図である。まず、図１〜図１０を参照して、本発明の一実施形態によるディスクローディング装置を含むディスク装置の構造を説明する。
【００２５】
本実施形態によるディスク装置２０は、図１および図２に示すように、上筐体１と、下筐体２と、ディスク３０（図４参照）を駆動するディスク駆動部３と、ディスク駆動部３が固定される支持板４と、下筐体２に取り付けられ、支持板４が回動可能に取り付けられる軸５と、ディスク３０をディスク駆動部３に搬送するためのローラ６と、ローラ６にディスク３０を押圧するための押圧部材７と、押圧部材７をローラ６側に付勢するためのバネ線材８と、押圧部材７によるディスク３０の押圧を解除するためのスライド可能なスライド部材９とを備える。なお、上筐体１および下筐体２は、本発明の「筐体」の一例である。
【００２６】
ここで、本実施形態では、図１および図２に示すように、上筐体１は、上面１ａと側面１ｂとが交差する角部１ｃの近傍の内側に設けられた一対の溝状の係合部１ｄと、側面１ｂに設けられた一対の穴部１ｅとを有する。一対の溝状の係合部１ｄには、バネ線材８の両端部が係合される。また、一対の穴部１ｅには、押圧部材７が回動可能に取り付けられる。なお、溝状の係合部１ｄは、本発明の「溝部」の一例である。
【００２７】
また、図１に示すように、下筐体２は、ディスク挿入口２ａと、ディスク挿入口２ａの近傍に設けられた穴２ｂとを有する。また、下筐体２には、ディスク駆動部３が収納されるとともに、ローラ６が回転可能に取り付けられている。
【００２８】
また、ディスク駆動部３は、図１に示すように、ターンテーブル３ａと、ターンテーブル３ａを回転させるためのモータ３ｂと、ディスク３０のデータを読み取りまたは書き込む光ヘッド３ｃとを有する。また、ターンテーブル３ａ、モータ３ｂおよび光ヘッド３ｃは、板状の支持板４に取り付けられている。また、板状の支持板４は、下筐体２に軸５を中心に回動可能に取り付けられている。ディスク駆動部３は、ディスク３０（図４参照）がディスク装置２０に挿入されていない状態においては、下側に配置されている。また、ディスク３０がディスク装置２０に挿入され、所定の位置に配置された場合に、板状の支持板４が軸５を中心に上側に回動することにより、ディスク３０はターンテーブル３ａに保持されるように構成されている。
【００２９】
また、ローラ６は、図１に示すように、下筐体２のディスク挿入口２ａの近傍に取り付けられている。また、ローラ６は、ディスク３０（図４参照）が当接した状態で図示しないモータによって回転することにより、ディスク３０を挿入方向（矢印Ａ方向）および排出方向（矢印Ｂ方向）に搬送する機能を有する。また、ローラ６は、ゴム製であるとともに、図１、図４および図５に示すように、中央部から両端部にかけて直径が大きくなるように形成されている。これにより、ローラ６は、図５に示すように、ディスク３０の縁部３０ａのみと接触される。このため、ディスク搬送時にディスク３０の記録面に傷がつくことが抑制される。
【００３０】
ここで、本実施形態では、押圧部材７は、板状に形成され、図３、図６および図８に示すように、上筐体１に回動可能に取り付けられている。また、押圧部材７は、ディスク３０（図４参照）と当接してローラ６側に押圧する押圧部７ａと、上筐体１の一対の穴部１ｅに回動可能に取り付けられる一対の回動軸７ｂと、バネ線材８のディスク搬送方向（矢印Ａ方向または矢印Ｂ方向）の位置を規制する位置規制部７ｃと、下筐体２側に突出するボス７ｄとを有する。
【００３１】
また、押圧部材７の押圧部７ａは、図１〜図４に示すように、一方の長手方向の辺の下面に沿ってローラ６側に突出するリブ状に形成されている。また、図５に示すように、リブ状の押圧部７ａは、押圧部材７の中央から矢印Ｄ方向および矢印Ｅ方向の両端部にかけて突出する量が徐々に大きくなるような傾斜面を有するように形成されている。また、押圧部７ａの傾斜面とディスク３０の縁部３０ａとが当接されることにより、ディスク３０はローラ６に押圧される。したがって、ディスク３０と押圧部７ａの傾斜面とが当接すると、ディスク３０の縁部３０ａに対して下方向のみならず、ディスク搬送路の中央に向かう方向にも力が働く。これにより、ディスク３０を搬送する際に、ディスク搬送方向（矢印Ａ方向または矢印Ｂ方向）と直交する方向（矢印Ｄ方向または矢印Ｅ方向）のディスク３０の位置が中央からずれるのが抑制される。また、ディスク３０が両面に記録面を有する場合においても、ディスク３０と押圧部材７の押圧部７ａの傾斜面とはディスク３０の縁部３０ａのみで当接するため、記録面に傷がつくのが抑制される。
【００３２】
また、押圧部材７の一対の回動軸７ｂは、図１〜図５に示すように、短手方向の辺から水平方向に突出するように設けられている。また、図６に示すように、回動軸７ｂのディスク搬送方向（矢印Ａ方向または矢印Ｂ方向）の幅Ｗ１は、上筐体１の穴部１ｅのディスク搬送方向（矢印Ａ方向または矢印Ｂ方向）の幅Ｗ２と実質的に等しい。これにより、押圧部材７が、ディスク搬送方向（矢印Ａ方向または矢印Ｂ方向）にずれることが抑制される。また、回動軸７ｂの垂直方向の幅Ｗ３は、上筐体１の穴部１ｅの垂直方向（矢印Ｃ方向）の幅Ｗ４よりも小さい。すなわち、押圧部材７の回動軸７ｂは、上筐体１の穴部１ｅに対して、垂直方向にＷ３−Ｗ４分だけ移動可能である。これにより、押圧部材７の押圧部７ａの傾斜面が、ディスク３０の縁部３０ａと２点で当接するように回動軸７ｂが垂直方向（矢印Ｃ方向）に移動可能である。したがって、押圧部材７の押圧部７ａがディスク３０の縁部３０ａと１点でのみ当接されることが抑制されるので、ディスク３０の搬送が安定して行われる。
【００３３】
また、押圧部材７の位置規制部７ｃは、所定の間隔を隔ててディスク搬送方向（矢印Ａ方向または矢印Ｂ方向）と直交する方向と平行に対向配置される一対のリブ状片からなり、一方の長手方向の辺の中央に上筐体１側に突出するように形成されている。この一対のリブ状片の間隔は、バネ線材８の直径とほぼ等しい。また、位置規制部７ｃは、図１０に示すように、平面的に見て、ディスク３０の縁部３０ａと押圧部材７の押圧部７ａの傾斜面とが当接する２点を結ぶ線分４０上に実質的に位置するように配置される。
【００３４】
また、押圧部材７の下筐体２側に突出するボス７ｄは、下筐体２の穴２ｂ（図１参照）に挿入される。また、ボス７ｄは、ディスク３０がディスク装置２０内部に搬送され、ディスク駆動部３に到達したときにスライド移動するスライド部材９と係合されることにより、押圧部材７を、バネ線材８の付勢力に逆らうようにディスク３０から離れる方向に回動させる機能を有する。
【００３５】
また、バネ線材８は、図１〜図５に示すように、凸状の押圧部８ａと、両端部に設けられ、上筐体１の一対の溝状の係合部１ｄと係合するＬ字状の係合部８ｂとを有する。バネ線材８の凸状の押圧部８ａは、中央部分に最も突出する先端部８ｃ（図１および図２参照）を有する。また、図７に示すように、凸状の押圧部の先端部８ｃは、押圧部材７の位置規制部７ｃの平行に配置される一対のリブ状片の間に配置される。すなわち、バネ線材８の先端部８ｃは、図１０に示すように、押圧部材７の押圧部７ａとディスク３０の縁部３０ａとが当接する２点Ｘ１およびＸ２の間の点Ｙを押圧するように構成されている。
【００３６】
また、スライド部材９は、図１、図９および図１０に示すように、下筐体２の内部に配置されており、先端に傾斜部９ａ（図１０参照）を有する。また、スライド部材９は、図示しない機構により、ディスク３０の搬送動作に連動してディスク搬送方向と直交する方向（矢印Ｄ方向または矢印Ｅ方向）にスライドされる。また、スライド部材９は、矢印Ｅ方向にスライドする際に、傾斜部９ａによって押圧部材７のボス７ｄを矢印Ｆ方向に移動させる機能を有する。
【００３７】
図１１〜図１３は、本実施形態によるディスクローディング装置を含むディスク装置２０のディスク搬送動作を説明するための図である。次に、図１０〜図１３を参照して、本実施形態によるディスクローディング装置を含むディスク装置２０のディスク搬送動作を説明する。
【００３８】
まず、ディスク３０をディスク挿入口２ａに挿入する。そして、ディスク３０が所定の位置に配置されると、図示しないセンサによりディスクが検知されるとともに、ローラ６が図示しないモータにより駆動される。そして、ディスク３０は、バネ線材８に付勢された押圧部材７の押圧部７ａと、ローラ６とにより挟まれながら、ローラ６の回転による摩擦力によりディスク駆動部３へ搬送される。ここで、本実施形態では、バネ線材８の押圧部８ａ（先端部８ｃ）が、押圧部材７の押圧部７ａの傾斜部とディスク３０の縁部３０ａとの２点の当接点Ｘ１およびＸ２の間の位置Ｙを押圧しているため、ディスク３０の縁部３０ａの２点（Ｘ１およびＸ２）にかかる押圧力の差が小さい。これにより、ディスク３０は、１本のバネ線材８によって安定して搬送されるとともに確実に搬送される。また、この時、図１０および図１１に示すように、スライド部材９は移動せず、押圧部材７のボス７ｄとは接触されない。また、支持板４およびディスク駆動部３は、下方の回動位置に位置している。
【００３９】
また、ディスク３０が所定の位置まで搬送されると、ディスク駆動部３を支持する支持板４が上方に回動してディスク３０がターンテーブル３ａに保持される。また、ディスク３０がターンテーブル３ａに保持される時には、図示しない機構によりスライド部材９がＥ方向にスライドすることにより、押圧部材７のボス７ｄがＦ方向（図１０および図１３参照）に移動される。これにより、押圧部材７は、回動軸７ｂを中心にＦ方向に回動するため、図１２および図１３に示すように、押圧部材７の押圧部７ａがディスク３０から離れる。この状態でディスク駆動部３によりディスク３０の駆動が行われる。
【００４０】
本実施形態では、上記のように、押圧部材７を１本のバネ線材８によりディスク３０に押圧することによって、バネ部材の部品点数の増加を抑制することができる。また、ディスク３０の縁部３０ａに２点で当接可能な押圧部材７を、押圧部材７とディスク３０の縁部３０ａとが当接する２点の間の位置を押圧することにより、押圧部材７をディスク３０に押圧することによって、押圧部材７とディスク３０の縁部３０ａとが当接する２点にかかる押圧力の差を少なくすることができる。これにより、１本のバネ線材８により、安定した搬送力を得ることができる。
【００４１】
また、本実施形態では、上記のように、バネ部材として、凸状の押圧部８ａと、両端部に設けられるとともに上筐体１と係合する係合部８ｂとを有する１本のバネ線材８を使用することによって、１本のバネ線材８を用いて、容易に、押圧部材７を押圧することができる。
【００４２】
また、本実施形態では、上記のように、上筐体１の上面１ａと側面１ｂとが交差する角部１ｃの近傍に、バネ線材８の係合部８ｂと係合する溝状の係合部１ｄを設けることによって、バネ線材８が押圧部材７を押圧する押圧力の反力を、機械的強度の高い上筐体１の上面１ａと側面１ｂとが交差する角部１ｃの近傍によって受けることができるので、バネ線材８による反力により、溝状の係合部１ｄが変形しにくい。そのため、バネ線材８の係合部８ｂの変位を小さくすることができるので、バネ線材８の押圧力を安定させることができる。
【００４３】
また、本実施形態では、上記のように、上筐体１の上面１ａと側面１ｂとが交差する角部１ｃの近傍に溝状の係合部１ｄを設けるとともに、バネ線材８のＬ字状の係合部８ｂを、上筐体１の溝状の係合部１ｄに係合させることによって、容易に、バネ取付部としての溝部１ｄのバネ線材８の反力による変形を抑制することができるとともに、バネ線材８のＬ字状の両端部および溝部１ｄにより容易にバネ線材８を上筐体１に取り付けることができる。
【００４４】
また、本実施形態では、上記のように、押圧部材７に、バネ線材８の押圧部８ａがディスク搬送方向（矢印Ａ方向または矢印Ｂ方向）に対して移動するのを抑制するための位置規制部７ｃを設けることによって、バネ線材８の押圧部材７に対する押圧位置（付勢位置）が移動するのを抑制することができる。このため、ディスク３０に加わる力が変化することを抑制することができる。
【００４５】
また、本実施形態では、上記のように、押圧部材７の位置規制部７ｃを、平面的に見て、押圧部材７とディスク３０との２つの当接点を結ぶ線分上に実質的に配置することによって、バネ線材８の付勢力が加わる位置（Ｙ）と、押圧部材７とディスク３０との２つの当接点（Ｘ１およびＸ２）とを直線状に配置することができる。これにより、バネ線材８の押圧力を効果的にディスク３０に加えることができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記実施形態では、押圧部材７の位置規制部７ｃを、所定の間隔を隔ててディスク搬送方向（矢印Ａ方向または矢印Ｂ方向）と直交する方向と平行に対向配置される一対のリブ状片により形成した例を示したが、本発明はこれに限らず、押圧部材に溝を形成し、その溝にバネ線材を係合してもよい。
【００４８】
また、上記実施形態では、バネ線材８の両端部に設けた係合部８ｂが係合する上筐体１の溝状の係合部１ｄを、上筐体１の上面１ａと側面１ｂとが交差する角部１ｃの近傍に設けた例を示したが、本発明はこれに限らず、筐体の機械的強度が高く、変位が小さい部分であれば、他の部分にバネ部材（バネ線材）と係合する係合部を設けてもよい。
【図面の簡単な説明】
【００４９】
【図１】本発明の一実施形態によるディスクローディング装置を含むディスク装置の全体構成を示す分解斜視図である。
【図２】本発明の一実施形態によるディスクローディング装置を含むディスク装置の全体構成を示す分解斜視図である。
【図３】本発明の一実施形態によるディスクローディング装置を含むディスク装置の上筐体、押圧部材およびバネ線材を組み立てた状態を示す斜視図である。
【図４】本発明の一実施形態によるディスクローディング装置とディスクとの関係を示す斜視図である。
【図５】本発明の一実施形態によるディスクローディング装置およびディスクを示す正面図である。
【図６】図３の側面図である。
【図７】図５の１００―１００線に沿った断面図である。
【図８】図３に示した本発明の一実施形態によるディスクローディング装置を含むディスク装置の上筐体、押圧部材およびバネ線材を矢印Ｐ方向から見た場合を示す平面図である。
【図９】本発明の一実施形態によるディスクローディング装置を含むディスク装置の正面図である。
【図１０】図９の２００―２００線に沿った断面図である。
【図１１】本発明の一実施形態によるディスクローディング装置を含むディスク装置のディスク搬送動作を説明するための図である。
【図１２】本発明の一実施形態によるディスクローディング装置を含むディスク装置のディスク搬送動作を説明するための平面図である。
【図１３】本発明の一実施形態によるディスクローディング装置を含むディスク装置のディスク搬送動作を説明するための図である。
【符号の説明】
【００５０】
１      上筐体（筐体）
１ａ    上面
１ｂ    側面
１ｃ    角部
１ｄ    係合部（溝部）
２      下筐体（筐体）
３      ディスク駆動部
６      ローラ
７      押圧部材
７ｃ    位置規制部
８      バネ線材（バネ部材）
８ａ    押圧部
８ｂ    係合部
３０    ディスク
３０ａ  縁部
【図１】
2007265480.tif 000003
【図２】
2007265480.tif 000004
【図３】
2007265480.tif 000005
【図４】
2007265480.tif 000006
【図５】
2007265480.tif 000007
【図６】
2007265480.tif 000008
【図７】
2007265480.tif 000009
【図８】
2007265480.tif 000010
【図９】
2007265480.tif 000011
【図１０】
2007265480.tif 000012
【図１１】
2007265480.tif 000013
【図１２】
2007265480.tif 000014
【図１３】
2007265480.tif 000015